(57)【要約】  【課題】終端ボックスを不要としてコストを低減し、情報盤内のスペースの有効利用を可能にする。  【解決手段】映像用機器および通信用機器の少なくとも一方を内器として収容して構成されるマルチメディアポートにおいて、４本の突出ピン１０２によりなり、内器に対する外部ケーブルの余長処理をするための余長処理機構を、情報盤を構成するボディ１に設けた。【選択図】図１
2005079340.tif 000002
【特許請求の範囲】
【請求項１】
映像用機器および通信用機器の少なくとも一方を内器として１ないし複数情報盤内に収容して構成されるマルチメディアポートであって、前記内器に対する外部ケーブルの余長処理をするための余長処理機構を前記情報盤に有していることを特徴とするマルチメディアポート。
【発明の詳細な説明】
【技術分野】
【０００１】
本発明は、映像用機器および通信用機器の少なくとも一方を内器として１ないし複数情報盤内に収容して構成されるマルチメディアポートに関するものである。
【背景技術】
【０００２】
従来、この種のマルチメディアポートは各種市販されまた提案されている。例えば、特許文献１には、映像用機器や通信用機器等のマルチメディアポート用機器を内器として収納するボディおよびカバーからなるマルチメディアポート用ボックスにおいて、ボディの奥壁の内面側に配線を束ねる速結バンドを固定する手段を設けてなるマルチメディアポート用ボックスが記載されている。
【０００３】
ところで、図３に示すように、マルチメディアポートの情報盤（ボックス）を構成するボディ１において、ケーブル挿通孔（通線口）１０ａを介して、光ファイバケーブルを情報盤内に引き込む場合、終端ボックス５が光ファイバケーブルの余長処理を行うためにさらに設けられることがある。余長処理はボディの外で終端ボックス５を用いて行われる。
【０００４】
なお、図３において、１０ｂ，１０ｃは施工面へのボディ１取付用の取付孔、１０ｄ，１０ｅはボディ１への内器取付用の取付ねじ孔、１００は内器の下端支持用の支持片、１０１はジョイントボックス（電線接続端子装置）取付用の突台（取付台）であり、上記特許文献１では、取付ねじ孔１０ｄ，１０ｅ、支持片１００および突台１０１は、ボディ１の底部内面にねじ止めされる取付プレート（取付台）に形成されている。
【特許文献１】特開２０００−１３３９６０号公報
【発明の開示】
【発明が解決しようとする課題】
【０００５】
しかしながら、図３のように余長処理を行う場合、終端ボックスをさらに設けなければならず、コスト増となる上、情報盤内のスペースを有効に利用することができないという課題がある。
【０００６】
本発明は、上記事情に鑑みてなされたものであり、終端ボックスを不要としてコストを低減することができ、情報盤内のスペースの有効利用が可能となるマルチメディアポートを提供することを目的とする。
【課題を解決するための手段】
【０００７】
上記課題を解決するための請求項１記載の発明は、映像用機器および通信用機器の少なくとも一方を内器として１ないし複数情報盤内に収容して構成されるマルチメディアポートであって、前記内器に対する外部ケーブルの余長処理をするための余長処理機構を前記情報盤に有していることを特徴とする。
【発明の効果】
【０００８】
本発明によれば、情報盤に余長処理機構が設けられているので、その余長処理機構で内器に対する外部ケーブルの余長処理をすることができるため、外部ケーブルの余長処理のための器具ないし器財を不要とすることができる。これにより、終端ボックスを不要としてコストを低減することができ、情報盤内のスペースの有効利用が可能となる。
【発明を実施するための最良の形態】
【０００９】
図１は本発明による一実施形態のマルチメディアポートの情報盤を構成するボディの斜視図、図２は同マルチメディアポートの分解斜視図である。
【００１０】
本実施形態のマルチメディアポートは、映像用機器および通信用機器の少なくとも一方を内器として１ないし複数情報盤内に収容するものであり、図２の例では、前方に矩形状の開口を有する箱状に形成された樹脂製のボディ１およびこの開口を閉塞する形状に形成された樹脂製のカバー２により構成される情報盤を備え、この情報盤内に、金属（例えば鉄などの磁性体）製の内器取付板３と、複数の内器４とを収容している。
【００１１】
上記箱状のボディ１の底部となる後面部１０には、図１，図２に示すように、左右方向を長手方向とする矩形状のケーブル挿通孔１０ａが、上端および下端側にそれぞれ複数穿設され、取付ねじの足部挿通用の頭部が上向きとなるだるま状の取付孔１０ｂが、上端側中央に穿設され、そして矩形状で上下中央に半円状の切り欠きの有る十字状の取付孔１０ｃが４隅近傍の各々に穿設されている。これにより、先行配線されたケーブルをケーブル挿通孔１０ａに挿通した上で、取付孔１０ｂ，１０ｃに、例えば壁面などの施工面に仮固定された取付ねじなどの金具を挿通すれば、その金具によりボディ１を施工面に仮止めすることができ、仮固定された金具を固定することにより、ボディ１を施工面に固定することができる。
【００１２】
また、ボディ１の後面部１０（またはこの前面に取り付けられる取付プレート）における上端側のケーブル挿通孔１０ａの下方近傍には、内器４の上端部を後面部１０の前面に取り付けるための取付ねじ孔（例えばナットの孔）１０ｄが、所定の単位寸法間隔で複数左右方向に並設されている。後面部１０における下端側のケーブル挿通孔１０ａの上方近傍には、先端部が上向きで前方に突出する断面Ｌ字状に形成され内器４の下端を支持するための支持片１００および内器４の下端部を後面部１０の前面に取り付けるための取付ねじ孔（例えばナットの孔）１０ｅが、所定の単位寸法間隔で複数左右方向に並設されている。
【００１３】
さらに、ボディ１の後面部１０における左端側中央には、商用電源とこれを必要とする内器４との間に介設される図示しないジョイントボックスを取り付けるための突台１０１が前方に突設されている。ジョイントボックスには、商用電源からの先行配線されたケーブル（メタルケーブル）と上記内器４へのケーブル（メタルケーブル）とが接続され、内部配線により商用電源と上記内器４とが接続される。
【００１４】
ボディ１の後面部１０の全周から前方に立設され、上側面部１１、下側面部１２、左側面部１３および右側面部１４からなる側周部は、各内器４の前後方向における奥行き寸法よりも大きい寸法に設定される。また、上側面部１１および下側面部１２の各縁部には、後述する一対の脚部３１，３１の先端部３１２，３１２とそれぞれ当接する図示しない一対の鍔片が、一体ないし別部品により設けられ、これら一対の鍔片の各々には、ねじ孔またはナットによるねじ孔が形成されている。
【００１５】
カバー２は、後方に矩形状の開口を有する箱状に形成され、例えば自己の開口縁部がボディ１の開口縁部と嵌合することによりボディ１に固定され、ボディ１の開口を開閉自在に閉塞するようになっている。そして、箱状のカバー２の底部となる前面部２０には、左右方向を長手方向とする通気口２０ａが上端および下端側の各々に複数形成されている。また、カバー２の前面部２０の全周から後方に立設される側周部も、各内器４の前後方向における奥行き寸法よりも大きい寸法に設定される。
【００１６】
内器取付部材３は、矩形状の主部３０と、この上下端の各両側に延設された一対の脚部３１，３１とを有するＨ字状に形成され、主部３０の左端中央に、ボディ１の後面部１０における突台１０１を前方に露呈するための切り欠き３０ａを有している一方、主部３０の右端寄りに、ボディ１の後面部１０に取り付けられる内器４に対して窓部となる窓孔３０ｂを有している。
【００１７】
主部３０の上端側には、内器４の上端部を当該主部３０の前面に取り付けるための取付ねじ孔３０ｄが、所定の単位寸法間隔で複数左右方向に並設されている。主部３０の下端側には、内器４の下端部を当該主部３０の前面に取り付けるための取付ねじ孔３０ｅが、所定の単位寸法間隔で複数左右方向に並設されている。また、主部３０には、所定の単位寸法に準じない形状の内器４を取り付けるための取付ねじ孔が複数形成されている。
【００１８】
脚部３１は、基部３１０と先端部３１２との間の中間部３１１が後方に屈曲する段差構造となっており、一段後方に位置する先端部３１２には、頭部横向き（例えば右向き）のだるま状の取付孔が穿設されている。これにより、内器取付部材３の各脚部３１の取付孔に、ボディ１の各鍔片のねじ孔に仮固定された取付ねじを挿通すれば、それらの各取付ねじにより内器取付部材３をボディ１に仮止めすることができ、仮固定された取付ねじを固定することにより、内器取付部材３をボディ１に固定することができる。内器取付部材３をボディ１から取り外す場合には、上記各取付ねじを緩めた後、各取付ねじの頭部を脚部３１の取付孔の胴部に通すようにすれば、内器取付部材３をボディ１から取り外すことができる。
【００１９】
内器４には、所定の単位寸法に準じた形状のもの（図２ではボディ１に取り付けられている内器４，４）と、そうでないもの（図では内器取付部材３に取り付けられている内器４）とがあり、単位寸法に準じた内器４は、上下の高さ寸法が略一定の高さに設定され、左右の幅寸法が所定の単位寸法の整数倍（１，２倍等）に設定された器体４０を備えることにより、寸法のモジュール化が図られている。
【００２０】
上記器体４０は、上下方向を長手方向とし前面部および後面部が矩形状となる角状に形成され、前面部に対して後面部が上下にそれぞれ突出することにより上端部４０１および下端部４０２が鍔状となっている。このような器体は、例えば、後方に開口を有する器体ボディと、これよりも上下方向に長い裏蓋とにより構成することができる。あるいは、後方に開口を有しこの開口縁部の上下にフランジを有する器体ボディと、この開口を閉塞する裏蓋とにより構成することもできる。
【００２１】
器体４０の上端部４０１には、ボディ１の取付ねじ孔１０ｄまたは内器取付部材３の取付ねじ孔３０ｄに対応する取付ねじの足部挿通用の挿通孔４０１ａが穿設されているとともに、下端部４０２には、ボディ１の取付ねじ孔１０ｅまたは内器取付部材３の取付ねじ孔３０ｅに対応する取付ねじの足部挿通用の挿通孔が穿設されている。
【００２２】
そして、本実施形態の特徴として、先述のボディ１の後面部１０の前面（またはこの前面に取り付けられる取付プレートの前面）には、図１に示すように、突台１０１の右方近傍に設けられ、外部ケーブル（光ファイバケーブル）を、この許容曲率半径と同じかそれよりも大きな曲率で円状に回した状態にして支持することができるように配置された４本の突出ピン１０２によりなり、内器４に対する外部ケーブルの余長処理をするための余長処理機構がさらに設けられている。
【００２３】
このような構成のマルチメディアポートによれば、例えば、内器４の下端をボディ１の支持片１００で支持し、その器体４０の上端部４０１の挿通孔４０１ａに取付ねじの足部を挿通して、対応するボディ１の取付ねじ孔１０ｄに螺着するとともに、器体４０の下端部４０２の挿通孔に取付ねじの足部を挿通して、対応するボディ１の取付ねじ孔１０ｅに螺着することにより、内器４をボディ１の後面部１０の前面に簡単に取り付けることができる。なお、器体４０の上端部４０１の挿通孔４０１ａを頭部上向きのだるま状にすることにより、内器４をボディ１の後面部１０の前面により簡単に取り付けることができる。
【００２４】
また、内器４の器体４０における上端部４０１の挿通孔４０１ａおよび下端部４０２の挿通孔を、それぞれ内器取付部材３の取付ねじ孔３０ｄおよび取付ねじ孔３０ｅに位置合わせしながら、上端部４０１の挿通孔４０１ａに取付ねじの足部を挿通して、対応する内器取付部材３の取付ねじ孔３０ｄに螺着するとともに、下端部４０２の挿通孔に取付ねじの足部を挿通して、対応する内器取付部材３の取付ねじ孔３０ｅに螺着することにより、内器４を内器取付部材３の主部３０の前面に取り付けることができる。これにより、マルチメディアポートの左右方向の幅寸法を増大させることなく、マルチメディアポートに収納可能な内器４の個数を増やすことができる。
【００２５】
さらに、ケーブル挿通孔１０ａを介して、光ファイバケーブルを情報盤内に引き込む場合、その光ファイバケーブルを円状に回した状態で４本の突出ピン１０２によりなる余長処理機構で支持することができるとともに、その余長処理をすることができる。これにより、終端ボックスを不要としてコストを低減することができる。また、図１の構成において、４本の突出ピン１０２を支持部材としてその前方に内器４を取り付けることができるように、対応する支持片１００の寸法などを調整することにより、情報盤内のスペースを有効利用することができる。
【図面の簡単な説明】
【００２６】
【図１】本発明による一実施形態のマルチメディアポートの情報盤を構成するボディの斜視図である。
【図２】同マルチメディアポートの分解斜視図である。
【図３】従来の終端ボックスを光ファイバケーブルの余長処理用にさらに設けた例を示す図である。
【符号の説明】
【００２７】
１  ボディ
１０  後面部
１０ａ  ケーブル挿通孔
１０ｂ  取付孔
１０ｃ  取付孔
１０ｄ  取付ねじ孔
１０ｅ  取付ねじ孔
１００  支持片
１０１  突台
１０２  突出ピン
１１  上側面部
１２  下側面部
１３  左側面部
１４  右側面部
２  カバー
２０  前面部
２０ａ  通気口
３  内器取付部材
３０  主部
３１  脚部
３１０  基部
３１１  中間部
３１２  先端部
４  内器
【図１】
2005079340.tif 000003
【図２】
2005079340.tif 000004
【図３】
2005079340.tif 000005